(57)【特許請求の範囲】
【請求項１】
発光素子が搭載された略矩形平板状の絶縁基板と、
前記絶縁基板が取付固定されるベース部を有するヒートシンクと、
前記ベース部に前記絶縁基板を取付固定するホルダと、
前記ホルダに貫通形成された収容孔部と、
金属材料の板材によって形成された４個の押さえ片と、
金属材料の板材によって形成された接続端子と、
前記絶縁基板上に形成され、前記発光素子に接続された電極パッドと
を備えた照明装置であって、
前記押さえ片の基端部は前記ホルダにインサート成形され、前記押さえ片の先端部は前記ホルダの上面側から表出して前記収容孔部に向けて突出するように折り曲げられ、
前記発光素子が搭載された前記絶縁基板が前記収容孔部に収容され、前記絶縁基板の上面側の四隅部分に対してそれぞれ、前記押さえ片の先端部の裏面側が当接して押圧し、前記ベース部と前記押さえ片との間で前記絶縁基板が脱落不能に挟持固定されることにより、前記ベース部および前記ホルダに前記絶縁基板が取付固定され、
前記ホルダの高さは前記発光素子よりも低く形成され、
前記発光素子の照射光が前記押さえ片によって遮光される遮光角が５゜以下であり、
前記接続端子の基端部は前記ホルダにインサート成形され、前記接続端子の先端部は前記収容孔部から突出し、
前記発光素子が搭載された前記絶縁基板が前記収容孔部に収容され、前記接続端子の先端部の弾性力によって前記電極パッドへ印加される付勢力により、前記電極パッドに対して前記接続端子の先端部を接触させて電気的に接続し、
前記押さえ片と前記接続端子とが同一の板材によって一体形成されている、
照明装置。
【請求項２】
前記押さえ片の先端部にはビードが形成されている、請求項１に記載の照明装置。
【請求項３】
前記押さえ片の先端部の板厚は、前記接続端子の先端部の板厚よりも厚く形成されている、請求項１又は２に記載の照明装置。
【請求項４】
前記ホルダは前記ベース部に対して位置決めされた状態で取付固定され、
前記ホルダに対して位置決めされた状態で前記ベース部に取付固定された光学部材を備え、
前記光学部材は、前記発光素子から放射された光を反射するリフレクタ、または、前記発光素子から放射された光を導光する導光部材である、請求項１〜３のいずれか１項に記載の照明装置。
【発明の詳細な説明】
【技術分野】
【０００１】
本発明は照明装置に係り、詳しくは、発光素子が搭載された絶縁基板をヒートシンクに取付固定する照明装置に関するものである。
【背景技術】
【０００２】
近年、車両用前照灯などの照明装置の光源として、ＬＥＤチップなどの半導体発光素子を用いるものが開発されている。
一般に発光素子は絶縁基板に搭載されるが、その絶縁基板をヒートシンクに取り付けることにより、発光素子が発生する熱を放熱する必要がある。
そのため、従来より、発光素子が搭載された絶縁基板をヒートシンクに取付固定するための構造について種々の提案がなされている。
【０００３】
特許文献１には、『樹脂成形部２１』から突出され、『回路基板１７』（絶縁基板）の外周部を押さえて『回路基板１７』を『配置用ベース１２』（ヒートシンクのベース部）に押し付ける『押さえ片部２９ａ，３１ａ』を有する技術が開示されている。
ここで、『押さえ片部２９ａ，３１ａ』は平坦な金属板によって形成されている。
そして、『押さえ片部２９ａ』は、矩形平板状の『回路基板１７』における長手の一辺の両角部分を押さえている。
また、『押さえ片部３１ａ』は、『回路基板１７』にて『押さえ片部２９ａ』が押さえている長手の一辺と対向する長手の一辺における両角部分ではない部分を押さえている。
さらに、『押さえ片部２９ａ，３１ａ』は、『樹脂成形部２１』（ホルダ）における『枠状部２３』の内側の開口である『配置用開口１８ａ』（ホルダの収容孔部）の端面から突出している。
【先行技術文献】
【特許文献】
【０００４】
【特許文献１】特開２０１０−１９２１３９号公報（段落［００４０］［００４１］［００４５］［００５０］［００５４］、図４、図７を参照）
【発明の概要】
【発明が解決しようとする課題】
【０００５】
特許文献１の技術では、『発光ダイオード１９』（発光素子）から『回路基板１７』（絶縁基板）の上面方向へ照射された光が、『樹脂成形部２１』（ホルダ）および『押さえ片部３１ａ』によって遮光され、光の利用効率が低下すると共に所望の配光パターンを確保し難いという問題がある。
すなわち、『押さえ片部２９ａ』は『回路基板１７』の長手の一辺の両角部分を押さえているため、『発光ダイオード１９』の照射光を遮光し難い。
しかし、『押さえ片部３１ａ』は『回路基板１７』の長手の一辺における両角部分ではない部分を押さえているため、『発光ダイオード１９』から『回路基板１７』の上面と平行方向（横方向）に照射された光が『押さえ片部３１ａ』によって遮光されてしまう。
また、『押さえ片部２９ａ，３１ａ』が平坦な金属板によって形成されているため強度が不十分であり、『回路基板１７』（絶縁基板）を確実に押さえ付けることが困難であるという問題もある。
【０００６】
本発明は前記問題を解決するためになされたものであって、以下の目的を有するものである。
（１）発光素子の照射光の利用効率を高めることが可能な照明装置を提供する。
（２）前記（１）に加えて、発光素子が搭載された絶縁基板をヒートシンクのベース部に確実に押さえ付けて取付固定することが可能な照明装置を提供する。
【課題を解決するための手段】
【０００７】
本発明者らは前記課題を解決するために鋭意検討を重ねた結果、下記のように本発明の各局面に想到した。
【０００８】
＜第１の局面＞
第１の局面は、
発光素子が搭載された略矩形平板状の絶縁基板と、
前記絶縁基板が取付固定されるベース部を有するヒートシンクと、
前記ベース部に前記絶縁基板を取付固定するホルダと、
前記ホルダに貫通形成された収容孔部と、
金属材料の板材によって形成された４個の押さえ片と
を備えた照明装置であって、
前記押さえ片の基端部は前記ホルダにインサート成形され、前記押さえ片の先端部は前記ホルダの上面側から表出して前記収容孔部に向けて突出するように折り曲げられ、
前記発光素子が搭載された前記絶縁基板が前記収容孔部に収容され、前記絶縁基板の上面側の四隅部分に対してそれぞれ、前記押さえ片の先端部の裏面側が当接して押圧し、前記ベース部と前記押さえ片との間で前記絶縁基板が脱落不能に挟持固定されることにより、前記ベース部および前記ホルダに前記絶縁基板が取付固定され、
前記ホルダの全体の高さは前記発光素子よりも低く形成され、
前記発光素子の照射光が前記押さえ片によって遮光される遮光角が５゜以下の照明装置である。
【０００９】
第１の局面では、ホルダの全体の高さが発光素子よりも低いため、発光素子から絶縁基板の上面方向へ照射された光が、ホルダによって遮光されない。
また、押さえ片の先端部がホルダの上面側から表出して収容孔部に向けて突出するように折り曲げられ、絶縁基板において発光素子から最も遠い位置にある四隅部分の上面側に押さえ片が当接して保持するため、発光素子の照射光が押さえ片によって遮光される遮光角を小さくすることが可能になり、その遮光角を５゜以下にできる。
従来よりこの種の絶縁基板の外形寸法は一辺が１０〜２０mmであるため、ヒートシンクのベース部に何らかのホルダを用いて絶縁基板を取り付ける従来の取付構造では、当該ホルダによる遮光角が最小でも５〜１０゜程度になってしまい、発光素子の照射光の利用効率が低下するという問題があった。
それに対して、第１の局面によれば、発光素子の照射光が押さえ片によって遮光される遮光角が５゜以下になるため、発光素子の照射光の利用効率を高めることが可能な照明装置を提供できる。
【００１０】
＜第２の局面＞
第２の局面は、第１の局面において、前記押さえ片の先端部にはビードが形成されている照明装置である。
第２の局面によれば、特許文献１のように押さえ片を平坦な金属板によって形成した場合に比べ、ビードによって押さえ片の先端部の強度が高められるため、押さえ片が絶縁基板を確実に押さえ付けて取付固定することが可能な照明装置を提供できる。
【００１１】
＜第３の局面＞
第３の局面は、第１または第２の局面において、
金属材料の板材によって形成された接続端子と、
前記絶縁基板上に形成され、前記発光素子に接続された電極パッドと
を備え、
前記接続端子の基端部は前記ホルダにインサート成形され、前記接続端子の先端部は前記収容孔部から突出し、
前記発光素子が搭載された前記絶縁基板が前記収容孔部に収容され、前記接続端子の先端部の弾性力によって前記電極パッドへ印加される付勢力により、前記電極パッドに対して前記接続端子の先端部を接触させて電気的に接続する照明装置である。
【００１２】
第３の局面によれば、電極パッドを介して発光素子に接続端子の先端部を電気的に接続することが可能であるため、接続端子の基端部を電源コネクタの端子として、外部の電源回路から伸びた給電ケーブルを接続させることにより、発光素子に電源を供給することができる。
【００１３】
＜第４の局面＞
第４の局面は、第３の局面において、前記押さえ片と前記接続端子とが同一の板材によって一体形成されている照明装置である。
第４の局面によれば、部品点数を削減することが可能になることに加え、押さえ片と接続端子とを同一のリードフレームに形成した状態で、そのリードフレームをホルダにインサート成形することにより、リードフレームを単純化することが可能になるため、製造コストを低減できる。
【００１４】
＜第５の局面＞
第５の局面は、第４の局面において、前記押さえ片の先端部の板厚は、前記接続端子の先端部の板厚よりも厚く形成されている照明装置である。
第５の局面によれば、押さえ片の先端部の強度を高めることが可能になるため、請求項２の効果が確実に得られる。
加えて、接続端子の先端部の弾性力を高めることが可能になるため、接続端子の先端部の弾性力が増大して電極パッドへ印加される付勢力が強くなることから、電極パッドと接続端子の先端部との電気的接続を確実なものにできる。
【００１５】
＜第６の局面＞
第６の局面は、第１〜第５の局面において、
前記ホルダは前記ベース部に対して位置決めされた状態で取付固定され、
前記ホルダに対して位置決めされた状態で前記ベース部に取付固定された光学部材を備え、
前記光学部材は、前記発光素子から放射された光を反射するリフレクタ、または、前記発光素子から放射された光を導光する導光部材である。
【００１６】
第６の局面によれば、発光素子が搭載された絶縁基板がホルダの収容孔部に収容されるため、ホルダを発光素子と光学部材との位置決め（例えば、リフレクタの焦点合わせ）の基準にすることが可能になり、光学部材の性能を十分に活かして発光素子の照射光の利用効率を高めることができる。
【図面の簡単な説明】
【００１７】
【図１】本発明を具体化した一実施形態の照明装置１０の上面図。
【図２】照明装置１０の要部上面図。
【図３】照明装置１０の要部概略縦断面の端面図であり、図２におけるＡ−Ａ矢示端面図。
【図４】照明装置１０の要部概略縦断面の端面図であり、図３における部分Ｅの拡大図。
【図５】照明装置１０の要部概略縦断面の端面図であり、図２におけるＢ−Ｂ矢示端面図。
【図６】照明装置１０の要部概略縦断面の端面図であり、図５における部分Ｆの拡大図。
【図７】照明装置１０の要部概略縦断面の端面図であり、図２におけるＣ−Ｃ矢示端面図。
【図８】照明装置１０の要部概略縦断面の端面図であり、図２におけるＤ−Ｄ矢示端面図。
【図９】照明装置１０の要部概略縦断面の端面図であり、図８における部分Ｇの拡大図。
【図１０】照明装置１０の要部斜視図。
【発明を実施するための形態】
【００１８】
以下、本発明を具体化した一実施形態の照明装置１０について、図面を参照しながら説明する。
図１〜図１０に示すように、照明装置１０は、ヒートシンク１１、壁部１２（凹部１２ａ）、ベース部１３（基板取付部１３ａ、位置決めピン１３ｂ，１３ｃ、雌ネジ１３ｄ，１３ｅ）、放熱フィン部１４（フィン１４ａ，１４ｂ）、光源ユニット２０、リフレクタ３０（取付孔３０ａ，３０ｂ、凹部３０ｃ）、雄ネジ３１，３２、ホルダ４０（位置決め孔４０ａ，４０ｂ、電源コネクタ４０ｃ、位置決めピン４０ｄ，４０ｅ、収容孔部４０ｆ）、接続端子４１ａ，４１ｂ（接触部４１ｃ）、押さえ片４２ａ〜４２ｄ（ビード４２ｅ）、絶縁基板５０、電極パッド５１ａ，５１ｂ、発光素子６０などから構成されており、車両に取り付けられて車両用前照灯として用いられる。
【００１９】
図１に示すように、ヒートシンク１１は、熱伝導性の高い金属材料（例えば、アルミニウム合金など）によって一体形成されたダイカスト成形品であり、壁部１２、ベース部（光源取付部）１３、放熱フィン部１４などを有している。
壁部１２は略矩形平板状を成し、壁部１２の正面側（表面側）にはベース部１３が突設され、壁部１２の背面側（裏面側）には放熱フィン部１４が突設されてる。そして、壁部１２は、照明装置１０の光軸方向に対して略垂直方向に延びている。
【００２０】
図１に示すように、壁部１２の正面側の正面視左右中央部には、壁部１２の正面側の他の部分よりも背面側に一段奥まった凹部１２ａが形成されており、凹部１２ａの上方には突起物が設けられておらず開放されている。
壁部１２の肉厚は略一定に形成されており、凹部１２ａの背面側には凹部１２ａの形状に対応した凸部が形成されている。
ベース部１３は、略矩形平板状を成し、壁部１２に対して略垂直方向に突設されている。つまり、ベース部１３は、照明装置１０の光軸方向に延びている。
【００２１】
図１に示すように、ベース部１３の上面側には光源ユニット２０が取付固定されている。
光源ユニット２０はリフレクタ３０および発光素子６０を備えた反射型光源ユニットである。
リフレクタ３０は、ベース部１３の上面側に取付固定されており、下面側に向かって凹型に湾曲した光の反射面（図示略）が設けられ、リフレクタ３０の背面側における正面視左右両端部には取付孔３０ａ，３０ｂが貫通形成され、リフレクタ３０の後端における正面視左右中央部には凹部３０ｃが形成されている。
【００２２】
図１に示すように、放熱フィン部１４は、ヒートシンク１１の上下方向に延出された矩形平板状のフィン１４ａ，１４ｂから構成されており、フィン１４ａ，１４ｂはヒートシンク１１の横方向に間隔を空けて平行に配置されている。
フィン１４ａ，１４ｂの端面は同一平面上に配置されており、壁部１２の凹部１２ａの背面側に配置されたフィン１４ｂは、壁部１２の凹部１２ａ以外の部分に配置されたフィン１４ａに比べて、照明装置１０の前後方向の幅（奥行方向の長さ、背面方向の長さ）が短く形成されている。
【００２３】
ベース部１３には、基板取付部１３ａ、位置決めピン１３ｂ，１３ｃ、雌ネジ１３ｄ，１３ｅが形成されている。
図３〜図１０に示すように、基板取付部１３ａはベース部１３の上面側から突設されており、基板取付部１３ａの表面は平坦に形成され、基板取付部１３ａの寸法形状は絶縁基板５０の外形寸法に合わせて形成されている。
図１および図２に示すように、位置決めピン１３ｂ，１３ｃはそれぞれ、略円柱状の突起物であり、基板取付部１３ａの正面視左右両側にてベース部１３の上面側から垂直に突設されている。
図１に示すように、基板取付部１３ａの正面視左右両側にてベース部１３の上面側には雌ネジ１３ｄ，１３ｅが螺設されており、雌ネジ１３ｄ，１３ｅには雄ネジ３１，３２が螺着される。
【００２４】
図１〜図１０に示すように、ホルダ４０は、略矩形平板状を成し、絶縁性を有する合成樹脂材料によって一体形成された射出成形品であり、位置決め孔４０ａ，４０ｂ、電源コネクタ４０ｃ、位置決めピン４０ｄ，４０ｅ、収容孔部４０ｆなどを有している。
位置決め孔４０ａ，４０ｂは円形透孔であり、ホルダ４０の正面視左右両側に貫通形成されている。
電源コネクタ４０ｃは、上方が開放された矩形枠状を成し、ホルダ４０の上面側における後端近傍の正面視左右中央部にて垂直に突設されている。
位置決めピン４０ｄ，４０ｅはそれぞれ、略円柱状の突起物であり、ホルダ４０の上面側における後端近傍の正面視左右両端にて垂直に突設されている。
収容孔部４０ｆは略十字形透孔であり、ホルダ４０の正面視左右中央部の前端寄りに貫通形成されている。
【００２５】
ホルダ４０には接続端子４１ａ，４１ｂおよび押さえ片４２ａ〜４２ｄがインサート成形され、ホルダ４０に対して接続端子４１ａ，４１ｂおよび押さえ片４２ａ〜４２ｄが取付固定されている。
接続端子４１ａ，４１ｂおよび押さえ片４２ａ〜４２ｄは、弾性力（バネ性）の高い金属材料（例えば、真鍮、銅など）の同一の板材からプレス加工の切り出し成形によって一体形成されている。
尚、押さえ片４２ａ〜４２ｄの先端部の板厚は、接続端子４１ａ，４１ｂの先端部の板厚よりも厚く形成されるようにプレス加工されている。
【００２６】
図２，図７〜図１０に示すように、接続端子４１ａ，４１ｂは、照明装置１０の正面視左右両側にてＤ−Ｄ矢示線に対して線対称な形状である。
接続端子４１ａ，４１ｂの中央部（図示略）はホルダ４０にインサート成形されており、接続端子４１ａ，４１ｂの基端部は電源コネクタ４０ｃ内から突出し、接続端子４１ａ，４１ｂの先端部は矩形長尺状の薄板バネを形成してホルダ４０の収容孔部４０ｆの端面から突出している。
収容孔部４０ｆの端面から突出した接続端子４１ａ，４１ｂの先端部には、下方に向けて略円弧状に折り曲げ加工された接触部４１ｃが形成されている。
【００２７】
図２〜図６，図１０に示すように、押さえ片４２ａ，４２ｂおよび押さえ片４２ｃ，４２ｄはそれぞれ、照明装置１０の正面視左右両側にてＤ−Ｄ矢示線に対して線対称な形状である。また、押さえ片４２ａ，４２ｃおよび押さえ片４２ｂ，４２ｄはそれぞれ、照明装置１０の前後方向にてＣ−Ｃ矢示線に対して線対称な形状である。
押さえ片４２ａ〜４２ｄの基端部はホルダ４０にインサート成形されており、押さえ片４２ａ〜４２ｄの先端部はホルダ４０の上面側から表出して収容孔部４０ｆに向けて突出するように折り曲げ加工されている。
ホルダ４０の上面側から表出した押さえ片４２ａ〜４２ｄの先端部は略矩形板状を成し、押さえ片４２ａ〜４２ｄの先端部にはビード４２ｅが形成されている。
ビード４２ｅは、押さえ片４２ａ〜４２ｄの先端部の略矩形状の２辺を結ぶ略Ｌ字状を成し、押さえ片４２ａ〜４２ｄの先端部の裏面側に突出した断面略円弧状の凹部であり、押さえ片４２ａ〜４２ｄのプレス加工と同時に形成される。
【００２８】
図２〜図１０に示すように、絶縁基板５０は略矩形平板状を成し、絶縁基板５０の上面側における長手方向両端部には電極パッド５１ａ，５１ｂが配置形成されている。
絶縁基板５０の上面側において、その短手方向中央部には長手方向に沿うように、５個の発光素子６０が一列に近接配置されて取付固定されることにより搭載（実装）されている。
尚、発光素子６０とリフレクタ３０との協働により、車両用前照灯として用いられる照明装置１０の配光パターンを所望の形状にすることが可能であれば、発光素子６０の個数は５個に限らず何個にしてもよく、例えば、横長形状の発光素子６０を用いた場合には１個にしてもよい。
そして、各発光素子６０と電極パッド５１ａ，５１ｂとは、絶縁基板５０の上面側に形成された配線パターン（図示略）を介して接続されている。
発光素子６０は、例えば、ＬＥＤチップ、有機ＥＬチップなどの半導体発光素子である。
【００２９】
［照明装置１０の組み立て方（図１〜図１０参照）］
まず、ヒートシンク１１のベース部１３における基板取付部１３ａに、ベース部１３の上方からホルダ４０を被着し、ホルダ４０の位置決め孔４０ａ，４０ｂにベース部１３の位置決めピン１３ｂ，１３ｃを挿入させることにより、ベース部１３に対するホルダ４０の位置決めを行い、発光素子６０が搭載された絶縁基板５０がベース部１３とホルダ４０との間に挟み込まれた状態にする。
【００３０】
そして、ベース部１３に対してホルダ４０を取付固定する。
ここで、ベース部１３とホルダ４０とを取付固定する構造については、どのような構造を用いてもよく、例えば、ベース部１３またはホルダ４０に設けた係合凸部と係合凹部とを係合させる構造、ホルダ４０に貫通形成した取付孔に挿通した雄ネジをベース部１３に螺設した雌ネジに螺着させる構造などがある。
【００３１】
ベース部１３にホルダ４０を被着すると、ベース部１３とホルダ４０との間に挟み込まれた絶縁基板５０がホルダ４０の収容孔部４０ｆ内に収容される。
すると、図２〜図６，図１０に示すように、収容孔部４０ｆの端面に対して、絶縁基板５０の四隅部分の端面が僅かの隙間を設けて嵌合される。
また、絶縁基板５０の上面側の四隅部分に対してそれぞれ、押さえ片４２ａ〜４２ｄの先端部の裏面側が当接して押圧し、基板取付部１３ａと押さえ片４２ａ〜４２ｄの先端部との間で絶縁基板５０が脱落不能に挟持固定されることにより、ベース部１３およびホルダ４０に絶縁基板５０が取付固定される。
その結果、ベース部１３における基板取付部１３ａの表面と絶縁基板５０の裏面全面とが隙間無く密着した状態で、ベース部１３と絶縁基板５０とホルダ４０とが相互に取り付けられて固定一体化される。
【００３２】
そして、図２，図７，図１０に示すように、収容孔部４０ｆ内に突出した接続端子４１ａ，４１ｂの先端部の弾性力により、絶縁基板５０の電極パッド５１ａ，５１ｂへ印加される付勢力によって、電極パッド５１ａ，５１ｂに対して接続端子４１ａ，４１ｂの接触部４１ｃが接触して電気的に接続される。
【００３３】
次に、図１に示すように、ヒートシンク１１に取付固定されたホルダ４０の上方からリフレクタ３０を被着し、リフレクタ３０の取付孔３０ａ，３０ｂにホルダ４０の位置決めピン４０ｄ，４０ｅを挿入させることにより、ホルダ４０に対するリフレクタ３０の位置決めを行う。
そして、リフレクタ３０の取付孔３０ａ，３０ｂに挿通した雄ネジ３１，３２を、ベース部１３の雌ネジ１３ｄ，１３ｅに螺着させることにより、リフレクタ３０をベース部１３の上面側に取付固定する。
【００３４】
図１に示すように、ベース部１３にホルダ４０を取付固定した後に、ベース部１３にリフレクタ３０を取付固定した状態では、ホルダ４０の電源コネクタ４０ｃが、ヒートシンク１１の壁部１２における凹部１２ａ内に配置され、リフレクタ３０の凹部３０ｃ内から上方向を向くように突出している。
【００３５】
続いて、外部の電源回路から伸びた給電用ケーブル（図示略）の雄側コネクタを、雌側コネクタである電源コネクタ４０ｃに挿入し、電源コネクタ４０ｃ内に突出している接続端子４１ａ，４１ｂの一端部に給電用ケーブルを接続することにより、照明装置１０の組み立てが完成する。
そして、外部の電源回路から、給電用ケーブルのプラス側→接続端子４１ａの一端部→接続端子４１ａの他端部（先端部）→電極パッド５１ａ→発光素子６０→電極パッド５１ｂ→接続端子４１ｂの他端部→接続端子４１ｂの一端部→給電用ケーブルのマイナス側の経路で電流を流すことにより、発光素子６０に電源が供給されて点灯される。
【００３６】
リフレクタ３０は、ベース部１３の上面側に取付固定されており、下面側に向かって凹型に湾曲した光の反射面（図示略）が設けられている。
光源ユニット２０において、発光素子６０を点灯発光させると、発光素子６０から放射された光の一部は、リフレクタ３０の反射面で反射されて照明装置１０の前方へ向けて照射され、発光素子６０から放射された光の一部は直射光として照明装置１０の前方へ向けて照射されるため、照明装置１０の前方側が照明される。
【００３７】
［本実施形態の作用・効果］
本実施形態の照明装置１０によれば、以下の作用・効果を得ることができる。
【００３８】
［１］押さえ片４２ａ〜４２ｄの基端部はホルダ４０にインサート成形され、押さえ片４２ａ〜４２ｄの先端部はホルダ４０の上面側から表出してホルダ４０の収容孔部４０ｆに向けて突出するように折り曲げられている。
発光素子６０が搭載された絶縁基板５０が収容孔部４０ｆに収容され、絶縁基板５０の上面側の四隅部分に対してそれぞれ、押さえ片４２ａ〜４２ｄの先端部の裏面側が当接して押圧し、ヒートシンク１１のベース部１３と押さえ片４２ａ〜４２ｄとの間で絶縁基板５０が脱落不能に挟持固定されることにより、ベース部１３およびホルダ４０に絶縁基板５０が取付固定される。
【００３９】
そして、図８および図９の一点鎖線αに示すように、ホルダ４０の全体の高さは発光素子６０よりも低く形成されているため、発光素子６０から絶縁基板５０の上面方向へ照射された光が、ホルダ４０によって遮光されない。
また、押さえ片４２ａ〜４２ｄの先端部がホルダ４０の上面側から表出して収容孔部４０ｆに向けて突出するように折り曲げられ、絶縁基板５０において発光素子６０から最も遠い位置にある四隅部分の上面側に押さえ片４２ａ〜４２ｄが当接して保持する。
そのため、図６に示すように、発光素子６０の照射光が押さえ片４２ａ〜４２ｄによって遮光される遮光角θを小さくすることが可能になり、その遮光角θを５゜以下にできる。
従来よりこの種の絶縁基板５０の外形寸法は一辺が１０〜２０mmであるため、ヒートシンク１１のベース部１３に何らかのホルダを用いて絶縁基板５０を取り付ける従来の取付構造では、当該ホルダによる遮光角が最小でも５〜１０゜程度になってしまい、発光素子６０の照射光の利用効率が低下するという問題があった。
それに対して、本実施形態によれば、発光素子６０の照射光が押さえ片４２ａ〜４２ｄによって遮光される遮光角θが５゜以下になるため、発光素子６０の照射光の利用効率を高めることが可能な照明装置１０を提供できる。
【００４０】
［２］押さえ片４２ａ〜４２ｄの先端部にはビード４２ｅが形成されているため、特許文献１のように押さえ片を平坦な金属板によって形成した場合に比べ、ビード４２ｅによって押さえ片４２ａ〜４２ｄの先端部の強度が高められるため、押さえ片４２ａ〜４２ｄが絶縁基板５０を確実に押さえ付けて取付固定することが可能な照明装置１０を提供できる。
【００４１】
［３］発光素子６０が搭載された絶縁基板５０がホルダ４０の収容孔部４０ｆに収容され、接続端子４１ａ，４１ｂの先端部の弾性力によって電極パッド５１ａ，５１ｂへ印加される付勢力により、電極パッド５１ａ，５１ｂに対して接続端子４１ａ，４１ｂの先端部を接触させて電気的に接続している。
そのため、接続端子４１ａ，４１ｂの基端部を電源コネクタ４０ｃの端子として、外部の電源回路から伸びた給電ケーブル（図示略）を接続させることにより、発光素子６０に電源を供給することができる。
【００４２】
［４］押さえ片４２ａ〜４２ｄと接続端子４１ａ，４１ｂとは、同一の板材によって一体形成されている。
そのため、部品点数を削減することが可能になることに加え、押さえ片４２ａ〜４２ｄと接続端子４１ａ，４１ｂとを同一のリードフレームに形成した状態で、そのリードフレームをホルダ４０にインサート成形することにより、リードフレームを単純化することが可能になるため、製造コストを低減できる。
【００４３】
［５］押さえ片４２ａ〜４２ｄの先端部の板厚は、接続端子４１ａ，４１ｂの先端部の板厚よりも厚く形成されている。
そのため、押さえ片４２ａ〜４２ｄの先端部の強度を高めることが可能になり、前記［２］の効果が確実に得られる。
加えて、接続端子４１ａ，４１ｂの先端部の弾性力を高めることが可能になるため、接続端子４１ａ，４１ｂの先端部の弾性力が増大して電極パッド５１ａ，５１ｂへ印加される付勢力が強くなることから、電極パッド５１ａ，５１ｂと接続端子４１ａ，４１ｂの先端部との電気的接続を確実なものにできる。
【００４４】
［６］ホルダ４０の位置決め孔４０ａ，４０ｂに、ヒートシンク１１のベース部１３の位置決めピン１３ｂ，１３ｃを挿入させることにより、ベース部１３に対するホルダ４０の位置決めがされた状態で取付固定される。
また、リフレクタ３０の取付孔３０ａ，３０ｂにホルダ４０の位置決めピン４０ｄ，４０ｅを挿入させることにより、ホルダ４０に対するリフレクタ３０の位置決めがされた状態で、リフレクタ３０がベース部１３に取付固定される。
そして、発光素子６０が搭載された絶縁基板５０がホルダ４０の収容孔部４０ｆに収容される。
【００４５】
そのため、ホルダ４０を発光素子６０とリフレクタ３０との位置決め（リフレクタ３０の焦点合わせ）の基準にすることが可能になり、光学部材であるリフレクタ３０の性能を十分に活かして発光素子６０の照射光の利用効率を高めることができる。
尚、リフレクタ３０を、発光素子６０から放射された光を導光する光学部材である導光部材に置き換えてもよい。
【００４６】
本発明は、前記各局面および前記実施形態の説明に何ら限定されるものではない。特許請求の範囲の記載を逸脱せず、当業者が容易に想到できる範囲で種々の変形態様も本発明に含まれる。本明細書の中で明示した論文、公開特許公報、特許公報などの内容は、その全ての内容を援用によって引用することとする。
【符号の説明】
【００４７】
１０…照明装置
１１…ヒートシンク
１３…ベース部
１３ａ…基板取付部
１３ｂ，１３ｃ…位置決めピン
３０…リフレクタ（光学部材）
４０…ホルダ
４０ａ，４０ｂ…位置決め孔
４０ｃ…電源コネクタ
４０ｄ，４０ｅ…位置決めピン
４０ｆ…収容孔部
４１ａ，４１ｂ…接続端子
４１ｃ…接触部
４２ａ〜４２ｄ…押さえ片
４２ｅ…ビード
５０…絶縁基板
５１ａ，５１ｂ…電極パッド
６０…発光素子
θ…遮光角
【図１】
0005761114.tif 000002
【図２】
0005761114.tif 000003
【図３】
0005761114.tif 000004
【図４】
0005761114.tif 000005
【図５】
0005761114.tif 000006
【図６】
0005761114.tif 000007
【図７】
0005761114.tif 000008
【図８】
0005761114.tif 000009
【図９】
0005761114.tif 000010
【図１０】
0005761114.tif 000011